(57)【要約】【課題】複数台数の足場用階段を重ね合わせても張り出し部が支持材間に食い込んでしまうことのない足場用階段を提供すること。【解決手段】上下に配置された足場の手すり等の横架材間に上下フックにて装着され、装着状態で斜め下方に延出される左右一対の支持材１２と、両支持材１２に挟持されるとともに両支持材１２から前方に片持ち状に突出する張り出し部２０を有する複数のステッププレート１６を備えた建築現場に設置される足場用階段１１において、両支持材１２を最短で結ぶ直線Ｐと直交する同両支持材の相対する内側面の最接近部位から前方に延出した２本の平行な延長線Ｑを想定し、前記ステッププレート１６の張り出し部２０の左右側縁２０ａを同延長線Ｑの内側位置にオフセットさせるようにした。【選択図】      図３
2006265986.tif 000002
【特許請求の範囲】
【請求項１】
建築現場に設置される足場の手すり等の横架材間あるいは横架材と設置面との間に装着され、同横架材に係合する係合部が形成されるとともに同横架材に同係合部が係合された状態で斜め下方に延出される左右一対の支持材と、同両支持材に挟持されるとともに同両支持材から前方に片持ち状に突出する張り出し部を有する複数のステッププレートとを備えた足場用階段において、
前記両支持材を最短で結ぶ直線と直交する同両支持材の相対する内側面の最接近部位から前方に延出した２本の平行な延長線を想定し、前記ステッププレートの張り出し部の左右側縁を同延長線の内側位置にオフセットさせるようにしたことを特徴とする足場用階段。
【請求項２】
前記ステッププレートは前記両支持部間に配設され同ステッププレートを下方から支持する補強部材によって補強され、同補強部材の前記支持材から前方に片持ち状に突出する張り出し部の左右側縁を前記延長線の内側位置にオフセットさせるようにしたことを特徴とする請求項１に記載の足場用階段。
【発明の詳細な説明】
【技術分野】
【０００１】
本発明は建築現場等で使用される足場用階段に関するものである。
【背景技術】
【０００２】
一般に建築現場等では建築物の周囲に支柱と手すり及び足場板或いは筋交い等によって足場を組み、この足場を利用して特に外回りの作業を行っている。足場には足場板上への乗り込みのしやすさや資材の搬入のため便宜から足場用階段が取り付けられる。作業者は足場用階段を利用して段差のある部分（例えば、地上部と一階部分の足場板との行き来、あるいは上下階の足場板の行き来等）の通行を行う。このような足場用階段の一例として特許文献１の図９〜図１１に示すような足場用階段５０を挙げる。
この足場用階段５０は左右の支持材５１と両支持材５１間に固定されたステップ５２とによる基本構造を採用しており、支持材５１上端にはフック５３が形成され支持材５１下端には回動可能にベース板５４が装着されている。そして、足場の手すりＧにフック５３を引っ掛けるとともにベース板５４を設置面に置いて使用される。ステップ５２は前方に張り出し、踏み代が大きく取られている。これによってステップ５２の足を乗せる面積が大きくなり、上り下りがしやすくなっている。
【特許文献１】特開２００２−３３９５６３号公報（図９〜図１１）
【発明の開示】
【発明が解決しようとする課題】
【０００３】
ところで、このような足場用階段５０では運搬時や収納時に複数台数を重ねて取り扱うようになっている。その際にステップ５２は前方に張り出しているため、足場用階段５０を積み重ねた場合には当該足場用階段５０の張り出し部が隣接する足場用階段５０の支持材５１間に進出して嵌まり込むこととなる。
ところが、足場用階段５０では支持材５１の寸法公差や使用に伴う変形等が原因で嵌まり込んだ張り出し部が支持材５１間に食い込んで容易に取り外すことができなくなるケースがあった。そのような不具合が生じた場合には、足場の構築のための作業に支障を来し全体として作業効率が低下する結果となる。
本発明は上記課題を解決するためのものである。その目的は、複数台数の足場用階段を重ね合わせても張り出し部が支持材間に食い込んでしまうことのない足場用階段を提供することにある。
【課題を解決するための手段】
【０００４】
上記の目的を達成するために、請求項１に記載の発明では、建築現場に設置される足場の手すり等の横架材間あるいは横架材と設置面との間に装着され、同横架材に係合する係合部が形成されるとともに同横架材に同係合部が係合された状態で斜め下方に延出される左右一対の支持材と、同両支持材に挟持されるとともに同両支持材から前方に片持ち状に突出する張り出し部を有する複数のステッププレートとを備えた足場用階段において、前記両支持材を最短で結ぶ直線と直交する同両支持材の相対する内側面の最接近部位から前方に延出した２本の平行な延長線を想定し、前記ステッププレートの張り出し部の左右側縁を同延長線の内側位置にオフセットさせるようにしたことをその要旨とする。
上記の構成では、複数台数の足場用階段を重ねた場合には当該足場用階段のステッププレートの張り出し部は隣接する足場用階段の支持材の間に配置させられることとなるが、ステッププレートの張り出し部の左右側縁は左右の支持材を最短で結ぶ直線と直交する両支持材の相対する内側面の最接近部位にて前方に延出させた２本の平行な仮想延長線よりも内側位置にオフセットしているためこの張り出し部と支持材との間には隙間が形成されることとなり、当該足場用階段のステッププレートの張り出し部が隣接する足場用階段の支持材の間に食い込んでしまうことはない。
【０００５】
ここに、ステッププレートの左右幅は単に支持材の内側面の間隔よりも短ければよいのではなく、上記延長線よりも内側位置にオフセットさせる、つまりごく僅かに内側にずらし僅かな隙間とすることが重要となる。大きく隙間が開いてしまった場合には積み重ねて運搬する際にがたついて騒音や擦過傷が付きやすくなり、地上部に載置した際の安定性にも欠ける。一般に寸法公差や変形の度合いを考慮するとステッププレートの左右幅と両支持材の左右の内幅間隔の差は５〜１０ｍｍ程度が好ましい。張り出し部の左右側縁は必ずしも平行である必要はない。
支持材の内側面とは必ずしも平面である必要はない。平面ではない場合に相対する内側面間の距離に遠近が生じるが、延長線の接する部位は支持材の相対する内側面の最接近部位とされる。最短で結ぶ直線とは基本的に足場用階段を使用状態にセットした際に水平となる直線を意味する。
【０００６】
請求項２に記載の発明では、請求項１に記載の発明の構成に加え、前記ステッププレートは前記両支持部間に配設され同ステッププレートを下方から支持する補強部材によって補強され、同補強部材の前記支持材から前方に片持ち状に突出する張り出し部の左右側縁を前記延長線の内側位置にオフセットさせるようにしたことをその要旨とする。
ステッププレートだけでは強度が十分ではない場合にはステッププレートを下方から支持する補強部材が併設される。この際に補強部材の前方に片持ち状に突出する張り出し部も支持材の延長線よりも内側位置にオフセットしているためこの張り出し部と支持材との間には隙間が形成されることとなり、当該足場用階段の補強部材の張り出し部が隣接する足場用階段の支持材の間に食い込んでしまうことはない。ステッププレートと同様補強部材の左右幅と両支持材の左右の内幅間隔の差も５〜１０ｍｍ程度が好ましい。張り出し部の左右側縁は必ずしも平行である必要はない。
【発明の効果】
【０００７】
上記各請求項の発明によれば、複数台数の足場用階段を重ね合わせても張り出し部が支持材間に食い込んでしまうことがないため、複数台数をまとめて運搬したり収納することが可能であるとともに、まとめた複数台数を１つずつ取り出すことも簡単にでき、その結果作業効率が向上することとなる。
【発明を実施するための最良の形態】
【０００８】
以下、本発明の一実施の形態である足場用階段について図面に基づいて説明する。尚、本実施の形態で前方とは図２における左方向をいう。また、左右とは図３及び図４における左右方向をいう。
図１〜図３に示すように、足場用階段１１は左右に配設された支持材１２を備えている。支持材１２は断面長方形形状の鋼製のパイプから構成されている。両支持材１２の上下端にはそれぞれ上下フック１３，１４が固着されている。
両支持材１２間には鋼製の複数（本実施の形態では７枚）のステップユニット１５が等間隔で固着されている。足場用階段１１は全体にメッキが施されている。図１〜図５に示すように、ステップユニット１５はステッププレート１６及び補強部材としての補強プレート１７とから構成されている。ステッププレート１６及び補強部材の基部寄りは両支持材１２の内側間隔と等幅で屈曲形成された屈曲部１８とされている。ステップユニット１５は屈曲部１８の両縁によって両支持材１２の内側面１２ａに溶接されている。このように屈曲させることでステップユニット１５は曲げ強度を向上させるとともに支持材１２の内側面１２ａとの溶接面積を増やすようにしている。
ステッププレート１６及び補強プレート１７は所定の角度（本実施の形態では６０度）をもって屈曲状に形成された一枚の板体であって、それぞれ基部位置において支持材１２の相対向する内側面に溶接によって固着されている。ステッププレート１６は図１及び図２における足場用階段１１の設置状態において水平に配置され、補強プレート１７はステッププレート１６を基準としてその前端から斜めに後方下方に向かって延出される。つまり、補強プレート１７はステッププレート１６を斜め下方から支える頬杖部材としての役割を果たす。
【０００９】
図６に示すように、ステッププレート１６には上下方向に連通する複数の透孔１９がバーリング加工により形成されている。各透孔１９には突起した上方にフランジ部１９ａが形成されている。
図２及び図５において支持材１２の前面１２ｂから前方に張り出したステッププレート１６及び補強プレート１７の部分をそれぞれ第１の張り出し部２０、第２の張り出し部２１とする。図３に示すように、第１の張り出し部２０の左右幅Ｌ１は支持材１２の相対向する内幅間隔Ｌ２によりも幅狭とされている。つまり、左右の支持材１２を結ぶ直線Ｐに対して直交するとともに、支持材１２の内側面１２ａに沿って前方に延長して延出された延長線Ｑに対して第１の張り出し部２０の左右側縁２０ａは同延長線の内側位置にそれぞれ同量オフセットされている。左右の支持材１２を結ぶ直線Ｐとは足場用階段１１が正しく設置された際の水平方向となる。本実施の形態では第１の張り出し部２０の左右側縁は支持材１２の内面よりも５ｍｍオフセットした位置で前方に延出されている。図３及び図４に示すように、第２の張り出し部２１の左右幅もＬ１とされている。つまり、延長線Ｑに対して第２の張り出し部２１の左右側縁２１ａも同延長線の内側位置にそれぞれ同量オフセットされている。本実施の形態では第２の張り出し部２１の左右側縁は支持材１２の内面よりも５ｍｍオフセットした位置（つまり第１の張り出し部２０と同幅で）で前方に延出されている。
【００１０】
次に、このように構成される足場用階段についてその使用方法について説明する。
まず、足場用階段１１を足場において使用する場合には、図１及び図２に示すように支持材１２の上下フック１３，１４を手すり等の上下の横架材Ｇに係合させる。この時、ステッププレート１６は水平に配置される。作業者はこのステッププレート１６の上を歩行して階上あるいは階下に移動することとなる。
一方、運搬や収納の際には図７に示すように足場用階段１１を複数台数を積み重ねる。この際に図３に示すように当該足場用階段１１のステッププレート１６及び補強プレート１７の第１及び第２の張り出し部２０，２１の左右側縁２１ａ，２１ａは延長線Ｑに対して内側にオフセットされているため、足場用階段１１を複数台数を積み重ねた際には図８（ａ）及び（ｂ）に示すように第１及び第２の張り出し部２０，２１と左右の支持材１２との間には若干の隙間が形成される。その結果、第１及び第２の張り出し部２０，２１が支持材１２間に食い込んでしまうことはない。
そのため、図７のように足場用階段１１を多数積載して運搬した後、あるいは足場用階段１１を積み重ねて収納した後に改めて取り出して一台ずつばらす場合でも容易にその作業を行うことができる。
【００１１】
このように構成することにより本実施の形態の足場用階段は以下のような効果を奏する。
（１）ステッププレート１６及び補強プレート１７の第１及び第２の張り出し部２０，２１の左右側縁２１ａ，２１ａは延長線Ｑに対して内側にオフセットされている。そのため、足場用階段１１を複数台数を積み重ねた際には図８（ａ）及び（ｂ）に示すように第１及び第２の張り出し部２０，２１と左右の支持材１２との間には若干の隙間が形成されることとなるため第１及び第２の張り出し部２０，２１が支持材１２間に食い込んでしまうことはない。従って、足場用階段１１を多数積載して運搬した後、あるいは足場用階段１１を積み重ねて収納した後に改めて取り出して一台ずつばらす場合でも容易にその作業を行うことができ、作業効率が向上する。
（２）第１及び第２の張り出し部２０，２１と左右の支持材１２との間には若干の隙間が形成されるだけで、両者間に大きな隙間が形成されることはない。そのため、積み重ねて運搬する際にがたついて騒音が発生したり傷が付いたりしにくくなる。また、地上部に載置した際の安定性にも優れる。
（３）ステッププレート１６は透孔１９を形成してあるので軽く、透孔１９周縁のフランジ部１９ａが上方に突起しているため作業者が歩行する際に滑りにくくなっている。
【００１２】
なお、この発明は前記実施の形態に限定されるものではなく、次のように変更して具体化することも可能である。
・上記実施の形態では支持材１２は上下フック１３，１４を上下の横架材Ｇに係合させるようにしていたが、下フック１４の替わりに接地面に置かれるベース板を装着するようにしてもよい。
・支持材１２の断面形状は上記では長方形形状とされたが、他の形状であっても構わない。
・第１及び第２の張り出し部２０．２１のオフセット量は上記実施の形態に限定されるものではなく、変更可能である。
・補強部材としては上記実施の形態のような補強プレート１７でなくともよい。
・その他、材質を変更したり、積み重ねた状態で緊縛ベルトを取り付けたり、フック２０の形状を変更したり、ステップユニット１５の数を変更したり等、本発明はその態様を変更して実施することは自由である。
【図面の簡単な説明】
【００１３】
【図１】本発明の実施の形態の足場用階段を足場に取り付けた状態を説明する斜視図。
【図２】同じ実施の形態の足場用階段の足場に取り付けた状態を説明する側面図。
【図３】同じ実施の形態の足場用階段の部分拡大一部切り欠き平面図。
【図４】図５におけるＡ方向から目視したステップユニットの説明図。
【図５】ステップユニットの側面図。
【図６】フランジ部の拡大断面図。
【図７】同じ実施の形態の足場用階段を積載している途中の説明図。
【図８】同じ実施の形態の足場用階段の積載過程を説明する図であって（ａ）は積載前、（ｂ）は積載後。
【符号の説明】
【００１４】
１１…足場用階段、１２…支持材、１５…ステップユニット、１６…ステッププレート、１７…補強部材としての補強プレート、２０，２１…張り出し部、Ｇ…横架材。
【図１】
2006265986.tif 000003
【図２】
2006265986.tif 000004
【図３】
2006265986.tif 000005
【図４】
2006265986.tif 000006
【図５】
2006265986.tif 000007
【図６】
2006265986.tif 000008
【図７】
2006265986.tif 000009
【図８】
2006265986.tif 000010